(57)【特許請求の範囲】
【請求項１】
長尺のラッパーフィルムを順次繰り出して所定長毎に裁断し、この裁断により切り出されたラッパーフィルムにて箱形パッケージ商品をオーバーラップするラッピング装置であって、
前記ラッパーフィルムの繰り出し部は、一定の張力が与えられて供給されるラッパーフィルムを吸着して搬送するサクションベルトローラと、このサクションベルトローラの下流に設けられて前記ラッパーフィルムを切断するナイフローラと、前記サクションベルトローラの上流に設けられて前記ラッパーフィルムをその両面から挟み込んで該ラッパーフィルムの特定領域にエンボス加工を施す一対のエンボスローラとを具備し、
上記各ローラは、互いに同じローラ径を有すると共に、その外周長を前記ラッパーフィルムの切り出し長さと同じくしたものであって互いに同期して回転駆動され、
前記一対のエンボスローラは、前記箱形パッケージ商品に付されたパッケージデザインに部分的に重ね合わせられる所定のパターン形状の対をなす雄型および雌型のエンボスを、その回転に伴って互いに対峙するようにそれぞれ形成したものからなることを特徴とするラッピング装置。
【請求項２】
前記一対のエンボスローラは、バックラッシュギヤを備えて互いに噛合する一対のギヤに連結されて、上記一対のギヤ間のバックラッシュを生じることなく互いに同期して逆向きに回転駆動されるものである請求項１に記載のラッピング装置。
【発明の詳細な説明】
【０００１】
【発明の属する技術分野】
本発明は、ラッパーフィルムにてオーバーラップされる箱形パッケージ商品の外観イメージを効果的に高め得るラッピング装置に関する。
【０００２】
【関連する背景技術】
たばこ等の箱形パッケージ商品は、通常、ラッパーフィルムにてオーバーラップされて提供される。この種の箱形パッケージ商品をラッパーフィルムによりオーバーラップするラッピング装置は、例えば図７に示すように、ロール状に巻回されて供給される長尺のラッパーフィルムＦを巻き戻しながら、該ラッパーフィルムＦの一面にその長手方向に沿って帯状の開封テープＴを貼着した後、繰り出し部Ａにおいて該ラッパーフィルムＦを所定長毎に裁断してパッケージ商品Ｓの搬送路に供給し、ラッピング機構Ｂにて前記パッケージ商品Ｓをオーバーラップする如く構成される。
【０００３】
【発明が解決しようとする課題】
ところでラッパーフィルムＦは、パッケージ商品Ｓを保護することを目的とするものであり、一般的にはパッケージ商品Ｓに付された絵柄等のパッケージデザインがそのまま見通せるように無色透明の表面が滑らかなものが用いられる。しかしながらラッパーフィルムＦにてパッケージ商品Ｓをオーバーラップした際、パッケージ商品Ｓに付されたパッケージデザインとラッパーフィルムＦとが協働して何等かの視覚的効果が得られるようにすれば、例えば商品イメージを高めることが可能となる等の効果が期待できる。
【０００４】
本発明はこのような事情を考慮してなされたもので、その目的は、パッケージ商品をオーバーラップするラッパーフィルムにエンボス加工を施すことで、該パッケージ商品に付されたパッケージデザインと協働して視覚的効果を発揮させ、ひいてはその商品イメージを効果的に高め得るラッピング装置を提供することにある。
【０００５】
特にパッケージ商品をオーバーラップするべく所定長毎に切り出されるラッパーフィルムの、上記パッケージ商品に付されたパッケージデザインに応じて予め特定される領域にのみエンボス加工を施すことで、上記パッケージデザインを際立たせ得るオーバーラップを実現するラッピング装置を提供することを目的としている。
【０００６】
【課題を解決するための手段】
上述した目的を達成するべく本発明に係るラッピング装置は、長尺のラッパーフィルムを順次繰り出して所定長毎に裁断し、この裁断により切り出されたラッパーフィルムにて箱形パッケージ商品をオーバーラップするものであって、
特に前記ラッパーフィルムの繰り出し部に、該ラッパーフィルムに対する裁断動作に同期して動作して前記箱形パッケージ商品のオーバラップに供される所定長さのラッパーフィルムの特定領域に所定のエンボス加工を施すエンボス加工機構を設けたことを特徴としている。
【０００７】
特に本発明に係るラッピング装置は、前記ラッパーフィルムの繰り出し部を、一定の張力が与えられて供給されるラッパーフィルムを吸着して搬送するサクションベルトローラと、このサクションベルトローラの下流に設けられて前記ラッパーフィルムを切断するナイフローラと、前記サクションベルトローラの上流に設けられて前記ラッパーフィルムをその両面から挟み込んで該ラッパーフィルムの特定領域にエンボス加工を施す一対のエンボスローラとを設けた構成とし、
上記各ローラのローラ径を互いに同じくすると共に、その外周長を前記ラッパーフィルムの切り出し長さと同じく設定し、またこれらのローラを互いに同期させて回転駆動するようにし、更に前記一対のエンボスローラを、前記箱形パッケージ商品に付されたパッケージデザインに部分的に重ね合わせられる所定のパターン形状の対をなす雄型および雌型のエンボスを、その回転に伴って互いに対峙するようにそれぞれ形成したものとしたことを特徴としている。
好ましくは請求項２に記載するように前記一対のエンボスローラを、バックラッシュギヤを備えて互いに噛合する一対のギヤに連結し、上記一対のギヤ間のバックラッシュを生じることなく（ガタツキを生じさせることなく）互いに同期させて逆向きに回転駆動することを特徴としている。
【０００８】
【発明の実施の形態】
以下、図面を参照して本発明の一実施形態に係るラッピング装置について説明する。
本発明に係るラッピング装置は、所定長毎に切り出してたばこ等の箱形パッケージ商品ＳをオーバーラップするラッパーフィルムＦの予め特定された領域に、例えば図１(ａ),(ｂ)にそれぞれ示すように、上記ラッパーフィルムＦにて箱形パッケージ商品Ｓをオーバーラップした際、予め特定された部位に位置付けられる領域にエンボス加工を施すようにしたことを特徴としている。尚、図１(ａ)は箱形パッケージ商品Ｓの正面左側部に位置付けて縦長矩形状のエンボス加工領域Ｅ１を設けた例を示しており、また図１(ｂ)は箱形パッケージ商品Ｓの正面中央部に位置付けて数字［１］を形取ったエンボス加工領域Ｅ２を設けた例を示している。
【０００９】
しかしてこのようなエンボス加工領域Ｅ１,Ｅ２を有するラッパーフィルムＦにて箱形パッケージ商品Ｓをオーバーラップすると、図２(ａ)(ｂ)(ｃ)に商品の外観イメージを対比して示すように、箱形パッケージ商品Ｓに付されたパッケージデザイン（絵柄）が同じであるにも拘わらず、その外観イメージがそれぞれ異なってくる。即ち、部分的にエンボス加工を施すことにより、その領域におけるラッパーフィルムＦの透明性が損なわれ、これによって箱形パッケージ商品Ｓに付されたパッケージデザイン（絵柄）の見え方が異なってくることに起因して、その外観イメージが変化する。
【００１０】
尚、図２(ａ)はエンボス加工を施していない表面が滑らかなままの無色透明なラッパーフィルムＦにて箱形パッケージ商品Ｓをオーバーラップした例を示している。また図２(ｂ)は前述した縦長矩形状のエンボス加工領域Ｅ１を設けたラッパーフィルムＦにてパッケージ商品Ｓをオーバーラップした例を、更に図２(ｃ)は数字［１］を形取ったエンボス加工領域Ｅ２を設けたラッパーフィルムＦにてパッケージ商品Ｓをオーバーラップした例を示している。ちなみに図２(ｂ)に示す例においては、縦長矩形状のエンボス加工領域Ｅ１にて箱形パッケージ商品Ｓに付されたパッケージデザイン（絵柄）の縦長矩形状のデザイン部分Ｄ１が覆われるので、該デザイン部分Ｄ１が視覚的にソフトなイメージで表現される。また図２(ｃ)に示す例にあっては、箱形パッケージ商品Ｓに付されたパッケージデザイン（絵柄）の空白領域Ｄ２に数字［１］を形取ったエンボス加工領域Ｅ２が位置付けられ、上記空白領域Ｄ２に数字［１］が淡く付されたような外観イメージとなる。
【００１１】
さてこのようなエンボス加工領域Ｅ１,Ｅ２をラッパーフィルムＦに形成しながら該ラッパーフィルムＦを所定長毎に切り出して箱形パッケージ商品Ｓをオーバーラップするに際して、如何にして箱形パッケージ商品Ｓに付されたパッケージデザインに応じて特定される領域にエンボス加工を施すかが問題となる。換言すれば長尺のラッパーフィルムＦに対して連続的にエンボス加工を施すことは比較的容易であるが、所定長毎に切り出されるラッパーフィルムＦの、箱形パッケージ商品Ｓに付されるパッケージデザインに応じて特定される領域にだけエンボス加工を施すには、それなりの工夫を必要とする。
【００１２】
そこで本発明に係るラッピング装置においては、以下に示すようにしてラッパーフィルムＦの特定の領域、つまり該ラッパーフィルムＦにてオーバーラップされる箱形パッケージ商品Ｓに付されるパッケージデザイン（絵柄）に応じて定められる特定の領域にだけエンボス加工を施すものとなっている。即ち、この実施形態に係るラッピング装置は、基本的には前述した図８に示すように構成されるもので、特にそのラッパーフィルムＦの繰り出し部Ａに、ラッパーフィルムＦを所定長毎に裁断するカッティング機構に同期して、該ラッパーフィルムＦにエンボス加工を施すエンボス加工機構を組み込んだことを特徴としている。
【００１３】
具体的には図３にラッピング装置におけるラッパーフィルムＦの繰り出し部の概略構成を示すように、繰り出し部Ａはギヤベルト１を介して駆動されるサクションベルトローラ２の回転に同期して回転し、ラッパーフィルムＦを送りながら所定の加工を施す複数のローラを備えて構成される。尚、前記ギヤベルト１は、ラッピング装置の図示しない主軸に連結されて駆動されるもので、これによってラッパーフィルムＦを所定長毎に裁断してパッケージ商品Ｓの搬送路に順次供給する繰り出し部Ａでの処理と、ラッピング機構Ｂにおける該ラッパーフィルムＦによる箱形パッケージ商品Ｓのオーバーラップ処理との同期がとられている。
【００１４】
前記サクションベルトローラ２に同期して回転する複数のローラは、前記サクションベルトローラ２の下流側に位置付けられてアイドルギヤ３ａを介して回転駆動されるナイフローラ４（カッティング機構）、前記サクションベルトローラ２の上流側に位置付けられてアイドルギヤ３ｂを介して回転駆動される一対のエンボスローラ５ａ,５ｂ、更にその上流側に位置付けられてアイドルギヤ３ｃを介して回転駆動されるＵ字ナイフローラ６（カッティング機構の一部）および繰り出しローラ７ａ,７ｂとからなる。これらの各ローラ２,４,５ａ,５ｂ,６,７ａは互いに同じローラ径を有し、その外周長を前記ラッパーフィルムＦの切り出し長と等しくしたもので、これにより互いに同期して１回転毎に所定の作業を実行する。尚、図中８は繰り出し部Ａに供給するラッパーフィルムＦに一定の張力を与えるテンションローラである。
【００１５】
ちなみに前記繰り出しローラ７ａ,７ｂはラッパーフィルムＦを挟み込んで繰り出す部Ａに送り込む役割を担っており、サクションベルトローラ２は上記ラッパーフィルムＦを吸着して該ラッパーフィルムＦを繰り出し部Ａから送り出す役割を担っている。しかして前記Ｕ字ナイフローラ６は、上述した如くして繰り出し部Ａ内を搬送されるラッパーフィルムＦの前述した如く開封テープＴを貼着した部位に、該開封テープＴを跨ぐＵ字状の切り込みを部分的に付ける役割を担っている。また前記ナイフローラ４は、前記Ｕ字ナイフローラ６にてＵ字状の切り込みが付けられたラッパーフィルムＦを、前記Ｕ字状の切り込み部分にて裁断する役割を担う。
【００１６】
しかしてＵ字ナイフローラ６とナイフローラ４との間に位置付けられた前記一対のエンボスローラ５ａ,５ｂは、例えば図４に示すように各周面に雄型および雌型をなす所定のパターン形状の一対のエンボス１０ａ,１０ｂを形成したもので、これらのエンボス１０ａ,１０ｂが相対向するようにその軸方向を揃えて平行に設けられる。そして各エンボスローラ５ａ,５ｂの端部に装着した一対のギヤ１１ａ,１１ｂを噛合させることで互いに同期して逆回転し、図５に示すように該エンボスローラ５ａ,５ｂ間に前記ラッパーフィルムＦを挟み込むことで、前記一対のエンボス１０ａ,１０ｂによりラッパーフィルムＦに上記所定のパターン形状のエンボス加工を施す如く構成されている。
【００１７】
尚、上記ギヤ１１ａ,１１ｂの一方には、バックラッシュギヤ１１ｃが同軸にみ込まれている。このバックラッシュギヤ１１ｃにより上記ギヤ１１ａ,１１ｂ間のバックラッシュが防止され、一対のエンボスローラ５ａ,５ｂは、いわゆるガタツキを生じることなく互いに精度良く同期して回転し、前記一対のエンボス１０ａ,１０ｂ間の位置ずれが防止されている。
【００１８】
特に上述した如く構成されたエンボスローラ５ａ,５ｂは、前述したようにナイフローラ４等と同期して回転し、ラッパーフィルムＦを所定長送り出す毎に１回転するものとなっている。この結果、Ｕ字ナイフローラ６により設けられるＵ字状の切り込み位置、エンボスローラ５ａ,５ｂによりエンボス加工されるエンボス加工領域、そしてナイフローラ４にるラッパーフィルムＦの切断位置がそれぞれ一義的に規定され、所定長毎に切り出されるラッパーフィルムＦの特定された領域にのみエンボス加工を施すものとなっている。従って所定長毎に裁断されたラッパーフィルムＦにてオーバーラップされる箱形パッケージ商品Ｓに付されたパッケージデザインに応じて、前記一対のエンボスローラ５ａ,５ｂにそれぞれ形成する一対のエンボス１０ａ,１０ｂのパターン形状と、その形成位置とを予め規制すれば、箱形パッケージ商品Ｓをオーバーラップした際、特定の部位に位置付けられるように前記ラッパーフィルムＦにエンボス加工領域Ｅ１,Ｅ２を設けることが可能となる。
【００１９】
かくして上述した如く構成された繰り出す部Ａを介して所定長毎に裁断されて繰り出されて箱形パッケージ商品Ｓのオーバーラップに供されるラッパーフィルムＦによれば、図６(ａ)(ｂ)にそれぞれ示すように、Ｕ字状の切り込みＵを含ンで裁断された所定長のラッパーフィルムＦにおける特定の領域だけがエンボス加工され、所定形状のエンボス加工領域Ｅ１,Ｅ２を有するものなる。この結果、このようなエンボス加工を施したラッパーフィルムＦにて箱形パッケージ商品Ｓをオーバーラップすれば、前述したように箱形パッケージ商品Ｓに付されたパッケージデザインに対してエンボス加工特有の光学的効果を与えることが可能となり、その商品イメージを異ならせることが可能となる。
【００２０】
尚、本発明は上述した実施形態に限定されるものではない。例えば繰り出し部Ａ内においてサクションベルトローラ２により前記ラッパーフィルムＦを一定に搬送し得るならば、エンボスローラ５ａ,５ｂを前記ナイフローラ４の下流側やＵ字ナイフローラ６の上流側に設けることも可能である。またエンボスローラ５ａ,５ｂにより加工するエンボスのパターン形状は箱形パッケージ商品Ｓに付されるパッケージデザインに応じて定めれば良いことは言うまでもない。またエンボス自体の形状も特に限定されない。要するに本発明はその要旨を逸脱しない範囲で種々変形して実施することができる。
【００２１】
【発明の効果】
以上説明したように本発明によれば、箱形パッケージ商品のオーバーラップに供されるラッパーフィルムに対して、その裁断位置に同期させた特定の領域にのみ簡易に、且つ正確にエンボス加工を施すことができる。しかもラッパーフィルムの繰り出し部にエンボス加工機構を組み込むことにより、効果的にエンボス加工を施すことができ、ラッパーフィルムによりオーバーラップされるパッケージ商品のイメージを効果的に高め得る等の実用上多大なる効果が奏せられる。
【図面の簡単な説明】
【図１】  箱形パッケージ商品をオーバラップするラッパーフィルムと、該ラッパーフィルムに形成したエンボスの状態を示す図。
【図２】  ラッパーフィルムにてオーバラップされた箱形パッケージ商品の外観イメージを示す図。
【図３】  本発明に一実施形態に係るラッピング装置におけるラッパーフィルムの繰り出し部の概略構成を示す図。
【図４】  繰り出し部に組み込まれるエンボス加工機構の構造を示す図。
【図５】  エンボスローラによるラッパーフィルムのエンボス加工作用を示す図。
【図６】  エンボス加工が施されて所定長毎に切り出されたラッパーフィルムの平面構成を示す図。
【図７】  ラッピング装置の全体的な概略構成図。
【符号の説明】
Ｓ  箱形パッケージ商品
Ｆ  ラッパーフィルム
Ｅ１,Ｅ２  エンボス加工領域
Ａ  ラッピング装置における繰り出し部
Ｂ  ラッピング装置におけるラッピング機構
２  サクションベルトローラ
４  ナイフローラ
５ａ,５ｂ  エンボスローラ
６  Ｕ字ナイフローラ
７ａ,７ｂ  繰り出しローラ
１０ａ,１０ｂ  雄型および雌型をなす一対のエンボス
【図１】
0003721276.tif 000002
【図２】
0003721276.tif 000003
【図３】
0003721276.tif 000004
【図４】
0003721276.tif 000005
【図５】
0003721276.tif 000006
【図６】
0003721276.tif 000007
【図７】
0003721276.tif 000008